(57)【要約】【課題】タクトタイムを低下させることなく完成品の検査の実行を可能にする電子機器を提供する。【解決手段】制御部７６は、通常の使用モードの場合には、第１の切替部７３の切り替え制御を行い、装着部３３と外部メモリインターフェース７２を電気的に接続し、また、第２の切替部７５の切り替え制御を行い、インターフェースコネクタ１６とシリアルインターフェース７１を電気的に接続する。制御部７６は、検査モードの場合には、第１の切替部７３の切り替え制御を行い、装着部３３とシリアルインターフェース７１を電気的に接続し、また、第２の切替部７５の切り替え制御を行い、インターフェースコネクタ１６と接地部７４を接続する。【選択図】図５
2009098109.tif 000002
【特許請求の範囲】
【請求項１】
シリアルケーブルの接続される面がカバー部材で覆われる構成になっているインターフェースコネクタを有する電子機器であって、
シリアル信号の入出力が行われるシリアルインターフェースと、
所定の規格に準拠した所定の形状のデバイスが装着される装着手段と、
前記装着手段に装着された前記デバイスが外部メモリであった場合に、当該外部メモリに対してデータの入出力の制御を行う外部メモリインターフェースと、
前記装着手段に装着された前記デバイスを前記シリアルインターフェースと前記外部メモリインターフェースのいずれか一方に電気的に接続するように切り替える第１の切替手段と、
前記インターフェースコネクタを前記シリアルインターフェースと接地部のいずれか一方に電気的に接続するように切り替える第２の切替手段と、
所定の検査モードを実行する場合には、前記装着手段に装着されている前記デバイスと前記シリアルインターフェースが電気的に接続されるように前記第１の切替手段を切り替え、かつ、前記インターフェースコネクタと前記接地部が電気的に接続されるように前記第２の切替手段を切り替える制御手段と、を備えることを特徴とする電子機器。
【請求項２】
前記装着手段は、充電池の近傍に配置されており、前記充電池と共に充電池蓋により覆われる構成であることを特徴とする請求項１記載の電子機器。
【請求項３】
データが記憶される不揮発性メモリと、
操作が行われる操作手段と、を備え、
前記制御手段は、前記不揮発性メモリに所定のデータが書き込まれており、前記操作手段により所定の操作が行われたときに、前記所定の検査モードを実行するように前記第１の切替手段と前記第２の切替手段とを切り替えることを特徴とする請求項１又は２に記載の電子機器。
【請求項４】
前記所定の検査モードが実行されたときには、前記装着手段のデータ入力用の端子は、検査信号の下り信号用の端子として利用され、前記装着手段のデータ出力用の端子は、検査信号の上り信号用の端子として利用されることを特徴とする請求項１から３のいずれか１項に記載の電子機器。
【請求項５】
所定の規格に準拠した所定の形状のデバイスが装着される装着手段と、主制御部にバスを介して接続されてなり、前記装着手段に装着された前記デバイスに対してデータの入出力を制御する制御ブロックとを備える電子機器において、
前記主制御部は、
前記バスが接続されるバス接続端子と、所定の検査信号の入出力が行われる検査信号入出力端子とを有し、
前記制御ブロックは、
前記装着手段に装着された前記デバイスが外部メモリであった場合に、当該外部メモリに対してデータの入力出の制御を行う外部メモリインターフェースと、
前記装着手段に装着された前記デバイスを前記検査信号入出力端子と前記外部メモリインターフェースのいずれか一方に電気的に接続するように切り替える切替手段と、
通常モードを実行する場合には、前記装着手段に装着された前記デバイスと前記外部メモリインターフェースとを電気的に接続するように前記切替手段を切り替え、所定の検査モードを実行する場合には、前記装着手段に装着された前記デバイスと前記検査信号入出力端子とが電気的に接続するように前記切替手段を切り替える制御手段とを備えることを特徴とする電子機器。
【請求項６】
データが記憶される不揮発性メモリと、
操作が行われる操作手段と、を備え、
前記制御手段は、前記不揮発性メモリに所定のデータが書き込まれており、前記操作手段により所定の操作が行われたときに、前記検査モードを実行するように前記切替手段を切り替えることを特徴とする請求項５に記載の電子機器。
【請求項７】
所定の規格に準拠した所定の形状のデバイスが装着される装着手段と、
前記装着手段に装着された前記デバイスとしての外部メモリに対してデータの入出力の制御を行う外部メモリインターフェースと、
所定の検査信号の入出力が行われる検査信号入出力端子と、
前記装着手段に装着された前記デバイスを前記検査信号入出力端子と前記外部メモリインターフェースのいずれか一方に電気的に接続するよう切り替える切替手段と、を備える電子機器。
【発明の詳細な説明】
【技術分野】
【０００１】
本発明は、シリアルケーブルが接続されるインターフェースコネクタと、外部メモリが装着される装着部を備える電子機器に関する。
【背景技術】
【０００２】
回路基板等を組み込んで通信端末が完成した場合には、所期の動作性能が担保されているか否かを調べるために完成品に対して工場出荷前に種々の検査を行う（例えば、特許文献１を参照。）。
【０００３】
ここで、完成品の検査においては、通信端末に設けられている既存のインターフェースコネクタを利用する方法が一般的である。具体的には、シリアルケーブルの一方端を通信端末のインターフェースコネクタに接続し、シリアルケーブルの他方端を検査装置に接続することにより、検査装置と通信端末を電気的に接続し、所定の検査モードを実行している。
【特許文献１】登録実用新案第３１２１３６５号公報
【発明の開示】
【発明が解決しようとする課題】
【０００４】
ところで、既存のインターフェースコネクタには防塵等のためにコネクタキャップが装着されている。したがって、完成品の検査の際には、このコネクタキャップを人為的に取り外してシリアルケーブルとの接続面を露出させる作業が必要になる。
【０００５】
しかしながら、通信端末に傷や汚れをつけないように細心の注意を図る必要があるため、コネクタキャップを取り外す作業に慎重を期するため、時間が掛かってしまい、完成品の検査におけるタクトタイムが低下してしまう。また、細心の注意を図ったとしても、人為的な作業のため、インターフェースコネクタ自体を破損してしまう場合もある。
【０００６】
また、近年では、半導体技術の進歩により回路基板上のピン間隔が狭くなり、検査用のプローブを立てての検査が困難になってきている。そこで、回路基板上にテストポイント（例えば、ＪＴＡＧインターフェーステストポイント）を形成し、当該テストポイントにテスター（例えば、ＪＴＡＧテスター）を接続することにより、上述した検査モードを実行している。ここで、ＪＴＡＧとは、Ｊｏｉｎｔ  Ｔｅｓｔ  Ａｃｔｉｏｎ  Ｇｒｏｕｐの略であり、集積回路や回路基板の検査、デバッグ等に使用するためのバウンダリスキャンテストやテストアクセスポートの標準ＩＥＥＥ１１４９．１の通称である。
【０００７】
また、テストポイントは、電池装着部等に露出するように回路基板上に形成されており、完成状態の電子機器における各種の出荷前検査や、最新のファームウェアの書込作業等を実行する際にも利用される。
【０００８】
ここで、回路基板の状態において、検査モードを実行する場合には、製造用のフィクスチャを用いてテストポイントにテスターを接続する。
【０００９】
また、完成状態の電子機器において、検査モードを実行する場合には、リード線等のケーブルを用いてテストポイントとテスターとが接続される。より具体的には、リード線を回路基板上のテストポイントに半田付けすることにより、テストポイントとテスターを接続している。
【００１０】
このようにして、完成状態の電子機器においては、リード線の接続に多大な手間がかかる上、半田付けの作業において、リード線の脱着を行う際に、回路基板を破損してしまう場合がある。
【００１１】
また、電子機器の工場出荷前において、最新のファームウェアを書き込む場合に、このようなリード線の半田付けという工程が入ると、出荷前の検査モードの効率が悪くなり、実用的でない。
【００１２】
本発明は、上述のような課題に鑑みてなされたものであり、その目的の一つは、タクトタイムを低下させることなく完成品の検査の実行を可能にする電子機器を提供することにある。
【課題を解決するための手段】
【００１３】
本発明に係る電子機器は、上記課題を解決するために、シリアルケーブルの接続される面がカバー部材で覆われる構成になっているインターフェースコネクタを有する電子機器であって、シリアル信号の入出力が行われるシリアルインターフェースと、所定の規格に準拠した所定の形状のデバイスが装着される装着手段と、前記装着手段に装着された前記デバイスが外部メモリであった場合に、当該外部メモリに対してデータの入出力の制御を行う外部メモリインターフェースと、前記装着手段に装着された前記デバイスを前記シリアルインターフェースと前記外部メモリインターフェースのいずれか一方に電気的に接続するように切り替える第１の切替手段と、前記インターフェースコネクタを前記シリアルインターフェースと接地部のいずれか一方に電気的に接続するように切り替える第２の切替手段と、所定の検査モードを実行する場合には、前記装着手段に装着されている前記デバイスと前記シリアルインターフェースが電気的に接続されるように前記第１の切替手段を切り替え、かつ、前記インターフェースコネクタと前記接地部が電気的に接続されるように前記第２の切替手段を切り替える制御手段と、を備えることを特徴とする。
【００１４】
また、上記電子機器では、前記装着手段は、充電池の近傍に配置されており、前記充電池と共に充電池蓋により覆われる構成であることが好ましい。
【００１５】
また、上記電子機器では、データが記憶される不揮発性メモリと、操作が行われる操作手段と、を備え、前記制御手段は、前記不揮発性メモリに所定のデータが書き込まれており、前記操作手段により所定の操作が行われたときに、前記所定の検査モードを実行するように前記第１の切替手段と前記第２の切替手段とを切り替えることが好ましい。
【００１６】
また、上記電子機器では、前記所定の検査モードが実行されたときには、前記装着手段のデータ入力用の端子は、検査信号の下り信号用の端子として利用され、前記装着手段のデータ出力用の端子は、検査信号の上り信号用の端子として利用されることが好ましい。
【００１７】
また、本発明に係る電子機器は、上記課題を解決するために、所定の規格に準拠した所定の形状のデバイスが装着される装着手段と、主制御部にバスを介して接続されてなり、前記装着手段に装着された前記デバイスに対してデータの入出力を制御する制御ブロックとを備える電子機器において、前記主制御部は、前記バスが接続されるバス接続端子と、所定の検査信号の入出力が行われる検査信号入出力端子とを有し、前記制御ブロックは、前記装着手段に装着された前記デバイスが外部メモリであった場合に、当該外部メモリに対してデータの入力出の制御を行う外部メモリインターフェースと、前記装着手段に装着された前記デバイスを前記検査信号入出力端子と前記外部メモリインターフェースのいずれか一方に電気的に接続するように切り替える切替手段と、通常モードを実行する場合には、前記装着手段に装着された前記デバイスと前記外部メモリインターフェースとを電気的に接続するように前記切替手段を切り替え、所定の検査モードを実行する場合には、前記装着手段に装着された前記デバイスと前記検査信号入出力端子とが電気的に接続するように前記切替手段を切り替える制御手段とを備えることを特徴とする。
【００１８】
また、上記電子機器では、データが記憶される不揮発性メモリと、操作が行われる操作手段と、を備え、前記制御手段は、前記不揮発性メモリに所定のデータが書き込まれており、前記操作手段により所定の操作が行われたときに、前記検査モードを実行するように前記切替手段を切り替えることが好ましい。
【００１９】
また、本発明に係る電子機器は、上記課題を解決するために、所定の規格に準拠した所定の形状のデバイスが装着される装着手段と、前記装着手段に装着された前記デバイスとしての外部メモリに対してデータの入出力の制御を行う外部メモリインターフェースと、所定の検査信号の入出力が行われる検査信号入出力端子と、前記装着手段に装着された前記デバイスを前記検査信号入出力端子と前記外部メモリインターフェースのいずれか一方に電気的に接続するよう切り替える切替手段と、を備えることを特徴とする。
【発明の効果】
【００２０】
本発明によれば、タクトタイムを低下させることなく完成品検査の実行を可能とする。
【発明を実施するための最良の形態】
【００２１】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、例えばノートパソコン等の携帯型パーソナルコンピュータ等であっても良い。
【００２２】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２３】
また、操作部側筐体部２の側面には、データ通信ケーブルが接続されるインターフェースコネクタ１６の接続面を覆うキャップ１７が設けられている。なお、このインターフェースコネクタ１６の接続面を覆うものはキャップに限られず、シャッター、蓋、シート等のその他の部材であっても良い。
【００２４】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２５】
また、撮像部２３は、撮像方向が表面部２０の表示面と垂直の方向になっているので、この携帯電話装置１を保持して操作する者がディスプレイ２１を正面から見たときに、撮像方向がその者の顔が位置する方向に向くようになっている。なお、撮像部２３は、表示部側筐体部３に設ける代わりに、操作部側筐体部２の表面部１０に設けるようにしても良く、このような場合にも撮像部２３の撮像方向は、この携帯電話装置１を保持して操作する者の顔が位置する方向に向くようしても良い。
【００２６】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２７】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２８】
また、図２は、携帯電話装置１の操作部側筐体部２の裏面側（充電池蓋３０側）から見たときの外観斜視図である。また、図２（ａ）は、充電池蓋３０が装着されているときの外観斜視図であり、図２（ｂ）は、充電池蓋３０が外されているときの外観斜視図である。
【００２９】
操作部側筐体部２の裏面側においては、図２（ｂ）に示すように、所定容量の充電池３１を収納する充電池収納部３２と、所定の規格に準拠した外部メモリ１００が装着される装着部３３（装着手段）と、が設けられている。また、装着部３３は、充電池収納部３２の近傍に配置されており、充電池蓋３０が取り付けられることにより、充電池３１と共に覆われて外部に露出しない構成となっている。したがって、装着部３３は、専用のキャップを有さない構成となっている。なお、外部メモリ１００は、例えば、ＳＤ（メモリ）カード、ｍｉｎｉＳＤ（メモリ）カード、ｍｉｃｒｏＳＤ（メモリ）カードのいずれか、又はこれらの組み合わせ等が該当し、装着部３３は、これらのカードの規格に準拠した機能を有している。
【００３０】
また、図３は、携帯電話装置１の機能を示す機能ブロック図である。携帯電話装置１は、図３に示すように、操作キー群１１と、外部の端末と通信を行う通信部６０と、所定の処理を行う処理部７０と、所定容量を有する充電池３１と、充電池３１から供給される電源電圧を所定の電圧に変換し、変換後の電圧を通信部６０や処理部７０等に供給する電源回路部８０と、外部メモリ１００が装着される装着部３３と、シリアルケーブル１０１の接続される面がキャップ１７で覆われる構成になっているインターフェースコネクタ１６と、不揮発性メモリ９０と、を備えている。
【００３１】
通信部６０は、所定の使用周波数帯により外部装置と通信を行うメインアンテナ６１と、変調処理又は復調処理等の信号処理を行う通信処理部６２と、を備える。
【００３２】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００３３】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３４】
電源回路部８０は、充電池３１から供給される電源電圧を所定の電圧値に変圧し、変圧後の電源電圧を通信部６０及び処理部７０に供給する。
【００３５】
装着部３３は、所定の規格に準拠した形状をなしており、当該所定の規格に準拠した不揮発性の外部メモリ１００の装着を可能としている。また、処理部７０は、装着部３３に装着された外部メモリ１００にデータを入力したり、また入力されているデータを出力する。
【００３６】
ここで、組み立て工程を経て完成した携帯電話装置１には、所期の動作性能が担保されているか否かを調べるために検査装置２００が接続され（図４を参照。）、所定の検査が行われる。ここで、組み立て工程を経て完成した携帯電話装置１は、充電池蓋３０が取り外されており、装着部３３が外部に露出した状態になっている。
【００３７】
この装着部３３に、一方端が所定の規格に準拠した接続部を有するシリアルケーブル１０２が接続される。また、シリアルケーブル１０２は、他方端が検査装置２００に接続される（図４を参照。）。
【００３８】
また、処理部７０は、装着部３３に検査用のシリアルケーブル１０２が接続され、詳細は後述する一定の操作が行われた場合、検査モードに携帯電話装置１を移行させる。
【００３９】
ここで、処理部７０の構成と動作について説明する。ここで、図５（ａ）には、処理部７０により通常の使用モードに切り替えられた場合の構成例を示し、図５（ｂ）には、処理部７０により検査モードに切り替えられた場合の構成例を示す。
【００４０】
処理部７０は、図５に示すように、シリアル信号の入出力が行われるシリアルインターフェース７１と、外部メモリ１００に対してデータの入力時又はデータの出力時に当該データの入出力が行われる外部メモリインターフェース７２と、装着部３３がシリアルインターフェース７１と外部メモリインターフェース７２のいずれか一方に電気的に接続するように切り替える第１の切替部７３（第１の切替手段）と、インターフェースコネクタ１６がシリアルインターフェース７１と接地部７４のいずれか一方に電気的に接続するように切り替える第２の切替部７５（第２の切替手段）と、装着部３３に所定の規格に準拠した接続部を有する検査用のシリアルケーブル１０２が接続されたときに、検査モードに移行するように第１の切替部７３と第２の切替部７５とを切り替え制御する制御部７６（制御手段）と、を備える。なお、シリアルインターフェース７１と、外部メモリインターフェース７２と、第１の切替部７３と、接地部７４と、第２の切替部７５は、制御部７６に内蔵される構成であっても良い。また、シリアルインターフェース７１の端子は、処理部７０のＧＰＩＯ（ｇｅｎｅｒａｌ  ｐｕｒｐｏｓｅ  ｉｎｐｕｔ  ｏｕｔｐｕｔ）を利用している。
【００４１】
第１の切替部７３は、第１の端子７３ａと、第２の端子７３ｂと、第３の端子７３ｃとを備え、制御部７６の制御に応じて接続状態が切り替えられる。
【００４２】
第２の切替部７５は、第１の端子７５ａと、第２の端子７５ｂと、第３の端子７５ｃとを備え、制御部７６の制御に応じて接続状態が切り替えられる。
【００４３】
制御部７６は、使用するモード（通常の使用モードと所定の検査モード）に応じて、第１の切替部７３と第２の切替部７５とを連動して切り替える。
【００４４】
具体的には、制御部７６は、通常の使用モードの場合には、図５（ａ）に示すように、第１の切替部７３の第１の端子７３ａと第２の端子７３ｂが接続されるように切り替え制御を行い、装着部３３と外部メモリインターフェース７２を電気的に接続し、また、第２の切替部７５の第１の端子７５ａと第２の端子７５ｂが接続されるように切り替え制御を行い、インターフェースコネクタ１６とシリアルインターフェース７１を電気的に接続する。
【００４５】
また、通常の使用モードでは、装着部３３に外部メモリ１００を装着することにより、外部メモリ１００に対してデータの入力又はデータの出力を行うことができる。また、インターフェースコネクタ１６にシリアルケーブル１０１を接続することにより、ホスト装置との間でデータの送受信等を行うことができる。
【００４６】
また、制御部７６は、検査モードの場合には、図５（ｂ）に示すように、第１の切替部７３の第１の端子７３ａと第３の端子７３ｃが接続されるように切り替え制御を行い、装着部３３とシリアルインターフェース７１を電気的に接続し、また、第２の切替部７５の第１の端子７５ａと第３の端子７５ｃが接続されるように切り替え制御を行い、インターフェースコネクタ１６と接地部７４を接続する。
【００４７】
また、検査モードに移行したときには、装着部３３のデータ入力用の端子は、検査信号の下り（検査装置２００から携帯電話装置１への方向）信号用の端子として利用され、装着部３３のデータ出力用の端子は、検査信号の上り（携帯電話装置１から検査装置２００への方向）信号用の端子として利用される構成が好ましい。なお、このように、検査信号の下り信号用の端子及び検査信号の上り信号用の端子に、それぞれ上述のように装着部３３のデータ入力用の端子及びデータ出力用の端子を利用するのは、検査信号の方向とデータの方向とを合わせることにより、他の追加部材なくして、耐電圧性能の維持が可能となり、安価に障害に強い携帯電話装置１を提供することができるためである。もっとも、検査信号の下り信号用の端子及び検査信号の上り信号用の端子は、それぞれ、上述のように、装着部３３のデータ入力用の端子及びデータ出力用の端子を利用する場合のみに限定されるのもではなく、それぞれ、装着部３３の他の端子を利用する構成にしても良い。
【００４８】
すなわち、装着部３３に採用されている規格に準拠したデータ入力用の端子及びデータ出力用の端子は、シリアル信号の規格（例えば、ＲＳ−２３２Ｃ等）とは異なる規格であるため、単に装着部３３にシリアルケーブル１０２を接続するだけでは、装着部３３を介して、検査装置２００との間で検査信号の伝送を行うことができない。
【００４９】
ここで、装着部３３は、処理部７０のＧＰＩＯ（ｇｅｎｅｒａｌ  ｐｕｒｐｏｓｅ  ｉｎｐｕｔ  ｏｕｔｐｕｔ）端子に接続されている。ＧＰＩＯ端子とは、プログラムによって入力又は出力を設定可能な汎用的な端子のことである。
【００５０】
また、処理部７０のＧＰＩＯ端子には、インターフェースコネクタ１６の上り信号と下り信号も接続されている。
【００５１】
そこで、制御部７６は、図５に示されるように、第１の切替部７３と第２の切替部７５とを切り替えて、検査モードに移行する際に、検査モード用のプログラムに設定する。これが上記のＧＰＩＯ端子の設定となる。このようにプログラムを設定することにより、装着部３３に採用されている規格に準拠したデータ入力用の端子及びデータ出力用の端子を、シリアル信号の規格に準拠した端子に切り替えることができ、装着部３３を介して、携帯電話装置１と検査装置２００との間で検査信号の伝送を行うことができる。
【００５２】
また、携帯電話装置１の使用者が、誤って操作を行い、検査モードに移行させてしまった場合には、装着部３３に外部メモリ１００を装着してもデータの入力及び出力ができなくなってしまう。また、検査モードは、工場出荷時において必要な作業であって、使用者が利用することはないものと考えられる。
【００５３】
そこで、一定の操作が行われた場合のみに検査モードに移行する構成が好ましい。例えば、制御部７６は、不揮発性メモリ９０に所定のデータが書き込まれており、かつ操作キー群１１により所定の操作が行われたときに、検査モードに移行するように第１の切替部７３と第２の切替部７５とを切り替える構成が考えられる。
【００５４】
ここで、検査モードへの具体的な移行方法について図６に示すフローチャートを参照しながら説明する。なお、予め不揮発性メモリ９０には、オプションビットとして検査モードを示す「０ｘ９９」が書き込まれているものとする。また、携帯電話装置１は、組み立て完成後に初めて電源が投入された場合を想定している。
【００５５】
ステップＳ１において、制御部７６は、不揮発性メモリ９０を参照し、オプションビットを確認する。オプションビットが「０ｘ９９」ではない場合（ＮＯ）には、ステップＳ２に進み、オプションビットが「０ｘ９９」の場合（ＹＥＳ）には、ステップＳ３に進む。
【００５６】
ステップＳ２において、制御部７６は、通常の使用モードで起動するように制御する。したがって、図５（ａ）に示すように、装着部３３と外部メモリインターフェース７２が電気的に接続され、また、インターフェースコネクタ１６とシリアルインターフェース７１が電気的に接続された状態になる。
【００５７】
ステップＳ３において、制御部７６は、操作キー群１１に対して所定の操作が行われたか否かを判断する。所定の操作とは、例えば、操作キー群１１の「１」キーと、「５」キーと、「９」キーが同時に押圧された操作である。もちろん、所定の操作として、他の操作であっても良い。操作キー群１１に対して所定の操作が行われたと判断した場合（ＹＥＳ）には、ステップＳ４に進み、操作キー群１１に対して所定の操作が行われなかったと判断した場合（ＮＯ）には、ステップＳ５に進む。
【００５８】
ステップＳ４において、制御部７６は、検査モードで起動するように第１の切替部７３と第２の切替部７５とを切り替え制御する。したがって、図５（ｂ）に示すように、装着部３３とシリアルインターフェース７１が電気的に接続され、また、インターフェースコネクタ１６が接地部７４に接続された状態になる。
【００５９】
また、ステップＳ５において、制御部７６は、通常の使用モードで起動するように第１の切替部７３と第２の切替部７５とを切り替え制御し、かつオプションビットを書き換える。制御部７６は、例えば、オプションビットを「０ｘ９９」から「０ｘ００」等に書き換える。このようにオプションビットを書き換えることにより、携帯電話装置１の使用者が誤操作しても、検査モードに移行しないようにすることができる。
【００６０】
また、処理部７０は、図５に示される構成に限られず、他の構成であっても良い。例えば、図７に示すように、処理部７０は、主制御部としての第１の制御部３００と副制御部としての第２の制御部３０１とがバスＡで接続されており、第１の制御部３００には、シリアルインターフェース７１と、第２の切替部３０２とが内蔵され、第２の制御部３０１には、外部メモリインターフェース７２と第１の切替部３０３とが内蔵される構成であっても良い。なお、第１の切替部３０３は、バスＡを介して、第１の制御部３００により切り替え制御が行われる。
【００６１】
このような構成の場合には、第１の制御部３００は、通常の使用モードにおいては、インターフェースコネクタ１６とシリアルインターフェース７１が電気的に接続されるように第２の切替部３０２を切り替え、また、装着部３３と外部メモリインターフェース７２が電気的に接続されるように第１の切替部３０３を切り替える（図７中の実線状態）。なお、第１の切替部３０３は、図７に示すように、実線と点線との間で接続を変更して、電気的接続の切り替えを行う。
【００６２】
また、検査モードにおいては、第１の制御部３００は、装着部３３とシリアルインターフェース７１が電気的に接続されるように第１の切替部３０３と第２の切替部３０２を切り替え、また、インターフェースコネクタ１６が無効となるように第２の切替部３０２を切り替える（図７中の点線状態）。なお、第２の切替部３０２は、図７に示すように、実線と点線との間で接続を変更して、電気的接続の切り替えを行う。
【００６３】
上述したように、本発明に係る携帯電話装置１は、装着部３３が専用のキャップを有さず、充電池蓋３０が取り付けられることにより充電池３１と共に覆われて外部に露出しない構成となっている。なお、検査工程においては、充電池蓋３０が取り外された状態となっている。
【００６４】
また、携帯電話装置１は、検査工程において、外部に露出されている装着部３３に検査用のシリアルケーブル１０２を接続し、一定の操作が行われることにより、第１の切替部７３、３０３、第２の切替部７５、３０２が切り替えられて装着部３３とシリアルインターフェース７１を電気的に接続し、インターフェースコネクタ１６を接地部７４に接続して、又は、インターフェースコネクタ１６が無効となるようにして、検査モードに移行し、検査装置２００により所定の検査が実行される。
【００６５】
したがって、本発明に係る携帯電話装置１は、従来の検査工程で必要であったインターフェースコネクタ１６の接続面を覆うキャップ１７を取り外す工程が不要となり、タクトタイムを低下することなく所定の完成品の検査を実行することができる。また、人為的にキャップ１７を取り外す工程がないため、完成品の検査において、インターフェースコネクタ自体を破損してしまうことがない。
【００６６】
＜他の実施例＞
本発明に係る携帯電話装置１に備えられている処理部７０の他の実施例である処理部４００について説明する。
【００６７】
処理部４００は、図８に示すように、所定の規格に準拠した所定の形状のデバイスが装着される装着部３３と、主制御部４０１にバスＡを介して接続されてなり、装着部３３に装着されたデバイスに対してデータの入出力を制御する制御ブロック４０２とを備えている。
【００６８】
主制御部４０１は、バスＡが接続されるバス接続端子４０１ａと、所定の検査信号の入出力が行われる検査信号入出力端子４０１ｂとを有している。また、検査信号入出力端子４０１ｂには、回路基板上に形成されているテストポイント５００が接続されている。
【００６９】
制御ブロック４０２は、装着部３３に装着されたデバイスが外部メモリ１００であった場合に、当該外部メモリ１００に対してデータの入力出の制御を行う外部メモリインターフェース７２と、装着部３３に装着されたデバイスを検査信号入出力端子４０１ｂと外部メモリインターフェース７２のいずれか一方に電気的に接続するように切り替える切替部４０３（切替手段）と、通常モードを実行する場合には、装着部３３に装着されたデバイスと外部メモリインターフェース７２とを電気的に接続するように切替部４０３を切り替え、所定の検査モードを実行する場合には、装着部３３に装着されたデバイスと検査信号入出力端子４０１ｂとが電気的に接続するように切替部４０３を切り替える制御部４０４（制御手段）とを備える。
【００７０】
また、切替部４０３は、第１の端子４０３ａと、第２の端子４０３ｂと、第３の端子４０３ｃとを備える。また、図８においては、切替部４０３の第３の端子４０３ｃは、主制御部４０１の検査信号入出力端子４０１ｂとテストポイント５００との結線途中に接続されているが、テストポイント５００に何も接続されていない場合には、テストポイント５００がオープン状態になるため、後述する検査装置２００から送信されてくるデータは、主制御部４０１の検査信号入出力端子４０１ｂに入力される。なお、図８においては、切替部４０３の第３の端子４０３ｃは、主制御部４０１の検査信号入出力端子４０１ｂとテストポイント５００との結線途中に接続されているが、この構成に限られない。
【００７１】
なお、主制御部４０１は、上述した第１の制御部３００に相当し、また、制御ブロック４０２は、上述した副制御部としての第２の制御部３０１に相当する。
【００７２】
また、制御部４０４は、不揮発性メモリ９０に所定のデータが書き込まれており、かつ、使用者による操作によって、操作キー群１１に対して所定の操作が行われたときに、所定の検査モードを実行するように切替部４０３を切り替える構成であっても良い。
【００７３】
また、図８（ａ）は、通常の使用モードが実行される場合における切替部４０３の切り替え状態を模式的に示し、図８（ｂ）は、所定の検査モードが実行される場合における切替部４０３の切り替え状態を模式的に示す。
【００７４】
次に、検査モードが実行される場合の手順について図９に示すフローチャートを参照しながら説明する。なお、予め不揮発性メモリ９０には、オプションビットとして所定の検査モードを示す「０ｘ９９」が書き込まれているものとする。また、携帯電話装置１は、組み立て完成後に初めて電源が投入された場合であって、ファームウェアの書き込みを行うことを想定している。また、デフォルトの状態では、切替部４０３は、装着部３３に装着されたデバイスと検査信号入出力端子４０１ｂとが電気的に接続される状態（図８（ｂ）の状態）に切り替えられているものとする。
【００７５】
ステップＳ１１において、電源の投入後に主制御部４０１が起動したかどうかを確認し、主制御部４０１が起動した場合（ＹＥＳ）には、ステップＳ１２に進み、主制御部４０１が起動しない場合（ＮＯ）には、ステップＳ１５に進む。
【００７６】
携帯電話装置１は、電源を投入した場合、通常では、主制御部４０１が起動し、所定の手順にしたがって携帯電話装置１が使用可能な状態になる。しかし、ファームウェア等に問題があった場合、主制御部４０１が起動できなくなる場合がある。本発明においては、主制御部４０１が起動できなくなった場合には、他のステップを飛ばしてステップＳ１５に進み、直ぐに検査モードを実行する。
【００７７】
また、ステップＳ１２において、主制御部４０１は、電源投入後、不揮発性メモリ９０を参照し、オプションビットを確認する。オプションビットが「０ｘ９９」ではない場合（ＮＯ）には、ステップＳ１３に進み、オプションビットが「０ｘ９９」の場合（ＹＥＳ）には、ステップＳ１４に進む。
【００７８】
ステップＳ１３において、主制御部４０１は、通常の使用モードで起動するように制御する。したがって、図８（ａ）に示すように、装着部３３と外部メモリインターフェース７２が電気的に接続された状態になる。
【００７９】
ステップＳ１４において、主制御部４０１は、操作キー群１１に対して所定の操作が行われたか否かを判断する。所定の操作とは、例えば、使用者により操作キー群１１の「１」キーと、「５」キーと、「９」キーが同時に押圧された操作が該当する。なお、もちろん、所定の操作としては、他の操作であっても良い。また、操作キー群１１に対して所定の操作が行われたと判断した場合（ＹＥＳ）には、ステップＳ１５に進み、操作キー群１１に対して所定の操作が行われなかったと判断した場合（ＮＯ）には、ステップＳ１６に進む。
【００８０】
ステップＳ１５において、主制御部４０１は、検査モードを実行するように切替部４０３を制御する。なお。本実施例においては、切替部４０３は、デフォルトの状態が検査モードを実行する状態（図８（ｂ）に示す状態）であるので、主制御部４０１は、切替部４０３の状態をデフォルトのまま維持する。
【００８１】
したがって、携帯電話装置１は、装着部３３を介して検査装置２００と主制御部４０１の検査信号入出力端子４０１ｂが電気的に接続されているので、検査装置２００から送信されてきた最新のファームウェアに更新することができる。
【００８２】
また、上述したように、切替部４０３は、デフォルトの状態で装着部３３に装着されたデバイスと検査信号入出力端子４０１ｂとが電気的に接続される状態（図８（ｂ）の状態）に切り替えられているので、本工程においては、主制御部４０１が起動していなくても検査モードの実行ができる。したがって、本発明に係る携帯電話装置１は、主制御部４０１が起動できない場合において、特に有効となる。
【００８３】
また、ステップＳ１６において、主制御部４０１は、通常の使用モードで起動するように切替部４０３の切り替えを制御し、かつオプションビットを書き換える。主制御部４０１は、例えば、オプションビットを「０ｘ９９」から「０ｘ００」等に書き換える。このようにオプションビットを書き換えることにより、携帯電話装置１の使用者が誤操作しても、検査モードが実行されないようにすることができる。
【００８４】
また、一度、オプションビットを「０ｘ９９」から「０ｘ００」等に書き換えた場合には、再度、「０ｘ９９」への書き換えは原則的に行われないものとする。このように構成することにより、携帯電話装置１の使用者が誤操作しても検査モードが実行されないようにすることができる。
【００８５】
このようにして、本発明に係る携帯電話装置１は、切替部４０３がデフォルトの状態で、装着部３３に装着されたデバイスと検査信号入出力端子４０１ｂとが電気的に接続される状態（図８（ｂ）の状態）に切り替えられているので、例えば、組立工程の最終段階におけるファームウェアの更新作業において、装着部３３と検査装置２００とを所定の規格に準拠したケーブル（一方端側が装着部３３と同様の規格に準拠したコネクタ形状をなしており、他方端側が検査装置２００の外部インターフェースと同様の規格に準拠したコネクタ形状をなしている）によって簡易に接続し、検査装置２００から送信されてきたファームウェアに更新することができるので、従来のように、回路基板上に形成されているテストポイント５００にリード線を半田付けして検査装置２００を接続する工程を不要とし、タクトタイムを低下させることなくファームウェアの更新を行うことができる。
【図面の簡単な説明】
【００８６】
【図１】本発明に係る携帯電話装置の外観を示す斜視図である。
【図２】本発明に係る携帯電話装置を充電池蓋から見たときの外観を示す斜視図である。
【図３】本発明に係る携帯電話装置の機能を示すブロック図である。
【図４】本発明に係る携帯電話装置と、検査装置とがシリアルケーブルにより接続されるときの様子を示す図である。
【図５】（ａ）は、本発明に係る携帯電話装置が通常の使用モードに切り替えられた場合の構成を示す図であり、（ｂ）は、本発明に係る携帯電話装置が検査モードに切り替えられた場合の構成を示す図である。
【図６】検査モードに移行する方法についての説明に供するフローチャートである。
【図７】本発明に係る携帯電話装置の他の実施例の構成を示す図である。
【図８】（ａ）は、本発明に係る携帯電話装置が通常の使用モードに切り替えられた場合の構成を示す図であり、（ｂ）は、本発明に係る携帯電話装置が検査モードに切り替えられた場合の構成を示す図である。
【図９】検査モードに移行する方法についての説明に供するフローチャートである。
【符号の説明】
【００８７】
１  携帯電話装置
２  操作部側筐体部
３  表示部側筐体部
４  ヒンジ機構
１１  操作キー群
１６  インターフェースコネクタ
１７  キャップ（カバー部材）
３０  充電池蓋
３１  充電池
３３  装着部（装着手段）
７０、４００  処理部
７１  シリアルインターフェース
７２  外部メモリインターフェース
７３、３０３  第１の切替部（第１の切替手段）
７４  接地部
７５、３０２  第２の切替部（第２の切替手段）
７６  制御部（制御手段）
９０  不揮発性メモリ
１００  外部メモリ
１０１、１０２  シリアルケーブル
４０１  主制御部
４０１ａ  バス接続端子
４０１ｂ  検査信号入出力端子
４０２  制御ブロック
４０３  切替部（切替手段）
４０４  制御部（制御手段）
【図１】
2009098109.tif 000003
【図２】
2009098109.tif 000004
【図３】
2009098109.tif 000005
【図４】
2009098109.tif 000006
【図５】
2009098109.tif 000007
【図６】
2009098109.tif 000008
【図７】
2009098109.tif 000009
【図８】
2009098109.tif 000010
【図９】
2009098109.tif 000011